(57)【要約】      （修正有）【課題】ミラーに伝わる振動を防ぐ光走査装置を提供する。【解決手段】一方の端部を支点として固定し、走査線を反射するミラー７３と、ミラー７３の他方の端部の一側面を支持する第１の支持部３０４と、第１の支持部３０４とミラー７３の長手方向の位置が一致し、ミラー７３の他方の端部における他の側面を支持する第２の支持部３０２と、第２の支持部３０２を移動させるよう駆動する駆動部と、第１の支持部３０４及び前記第２の支持部３０２が支持するミラー７３の対向面を押圧して支持する第３の支持部と、を備える。【選択図】図８
2012145914.tif 000002
【特許請求の範囲】
【請求項１】
一方の端部を支点として固定し、走査線を反射するミラーと、
前記ミラーの他方の端部の一側面を支持する第１の支持部と、
前記第１の支持部と前記ミラーの長手方向の位置が一致し、前記ミラーの他方の端部における他の側面を支持する第２の支持部と、
前記第２の支持部を移動させるよう駆動する駆動部と、
前記第１の支持部及び前記第２の支持部が支持する前記ミラーの対向面を押圧して支持する第３の支持部と、
を備えることを特徴とする光走査装置。
【請求項２】
前記ミラーの固定端部の反対側は可動端部であり、前記可動端部に前記第１の支持部及び前記第２の支持部及び前記第３の支持部が位置することを特徴とする請求項１記載の光走査装置。
【請求項３】
前記第３の支持部は、前記第１の支持部及び前記第２の支持部と前記ミラーの長手方向の位置が一致することを特徴とする請求項１記載の光走査装置。
【請求項４】
前記ミラーの固定端部から前記第１の支持部が前記ミラーに接する位置までの長さと、前記ミラーの固定端部から前記第２の支持部が前記ミラーに接する位置まで長さが一致することを特徴とする請求項１記載の光走査装置。
【請求項５】
前記ミラーの固定端部の反対側は可動端部であり、前記ミラーの可動端部から前記第１の支持部が前記ミラーに接する位置までの長さと、前記ミラーの可動端部から前記第２の支持部が前記ミラーに接する位置まで長さが一致することを特徴とする請求項１記載の光走査装置。
【請求項６】
前記第２の支持部は、前記ミラーの底面を支持し、前記走査線の反射方向または反射方向と逆方向に移動することを特徴とする請求項１記載の光走査装置。
【請求項７】
前記第２の支持部は、前記ミラーの上面を支持し、前記走査線の反射方向または反射方向と逆方向に移動することを特徴とする請求項１記載の光走査装置。
【請求項８】
レーザビームをポリゴンミラーに出力する光源と、
一方の端部を支点として固定し、前記ポリゴンミラーで走査された走査線を反射するミラーと、
前記ミラーの他方の端部の一側面を支持する第１の支持部と、
前記第１の支持部と前記ミラーの長手方向の位置が一致し、前記ミラーの他方の端部における他の側面を支持する第２の支持部と、
前記第２の支持部を移動させるよう駆動する駆動部と、
前記第１の支持部及び前記第２の支持部が支持する前記ミラーの対向面を押圧して支持する第３の支持部と、
前記ミラーにより反射された走査線により静電潜像を形成される感光体と、
を備えることを特徴とする画像形成装置。
【請求項９】
前記ミラーの固定端部の反対側は可動端部であり、前記可動端部に前記第１の支持部及び前記第２の支持部及び前記第３の支持部が位置することを特徴とする請求項８記載の画像形成装置。
【請求項１０】
ミラーの一方の端部を支点として固定し、走査線を反射し、
前記ミラーの他方の端部の一側面を第１の支持部により支持し、
前記第１の支持部と前記ミラーの長手方向の位置が一致する位置で、第２の支持部が前記ミラーの他方の端部における他の側面を支持し、
前記第２の支持部を移動させるよう駆動し、
前記第１の支持部及び前記第２の支持部が支持する前記ミラーの対向面を第３の支持部が押圧して支持する、
ことを特徴とする光走査装置。
【請求項１１】
前記ミラーの固定端部の反対側は可動端部であり、前記可動端部に前記第１の支持部及び前記第２の支持部及び前記第３の支持部が位置することを特徴とする請求項１０記載の光走査装置。
【発明の詳細な説明】
【技術分野】
【０００１】
本発明の実施形態は、光走査装置及び画像形成装置に関する。
【背景技術】
【０００２】
折り返しミラーの一方の端部を固定し、もう一方の端部を補正用モータにより反射方向に動かして画像形成装置内部の感光体上に照射される走査線の傾きを補正する画像形成装置の光走査装置が知られている。しかしながら、画像形成装置本体の動作時の振動が光走査装置に加わると、その振動がミラーに伝わり、画像不良になるという問題が生じる。
【先行技術文献】
【特許文献】
【０００３】
【特許文献１】特開２０１０−３９１７９公報
【発明の概要】
【発明が解決しようとする課題】
【０００４】
本発明の実施形態が解決しようとする課題は、ミラーに伝わる振動を防ぐことである。
【課題を解決するための手段】
【０００５】
上記課題を解決するために、本発明の実施形態における光走査装置は、一方の端部を支点として固定し、走査線を反射するミラーと、前記ミラーの他方の端部の一側面を支持する第１の支持部と、前記第１の支持部と前記ミラーの長手方向の位置が一致し、前記ミラーの他方の端部における他の側面を支持する第２の支持部と、前記第２の支持部を移動させるよう駆動する駆動部と、前記第１の支持部及び前記第２の支持部が支持する前記ミラーの対向面を押圧して支持する第３の支持部と、を備えることを特徴とする。
【図面の簡単な説明】
【０００６】
【図１】第一の実施形態における、画像形成装置の構成図である。
【図２】第一の実施形態における、画像形成装置の内部構造を示す構成図である。
【図３】第一の実施形態における、光走査装置の全体的な構成を示す斜視図である。
【図４】第一の実施形態における、光走査装置のミラーユニットを示す斜視図である。
【図５】第一の実施形態における、補正部の斜視図である。
【図６】第一の実施形態における、補正部の側面図である。
【図７】第一の実施形態における、ミラーを除いた補正部の拡大図である。
【図８】第一の実施形態における、補正部の拡大図である。
【図９】第二の実施形態における、補正部の側面図である。
【発明を実施するための形態】
【０００７】
以下に添付図面を参照して、実施形態の画像形成装置を説明する。
【０００８】
（第一の実施形態）
第一の実施形態の画像形成装置が有する光走査装置のミラーの底面を支持する突き当て部、及びミラーの側面を支持する突起は、ミラーの長手方向の位置が一致する。
【０００９】
図１は、画像形成装置１００の正面図である。画像形成装置１００は、例えば複合機であるＭＦＰ（Multi-Function Peripherals）や、プリンタ、複写機等である。図１においてＭＦＰ１００を例に以下説明する。
【００１０】
ＭＦＰ１００は、自動原稿搬送部（ＡＤＦ：Auto Document Feeder）１２と、操作パネル１３と、スキャナ部１６と、プリンタ部１７と、給紙部（給紙カセット）１８と、排紙部３９を有する。
【００１１】
ＡＤＦ１２は、原稿台上に開閉自在に設けられ、原稿を自動で搬送する。操作パネル１３は、各種のキーを有する操作部１４と、表示部１５を有する。
【００１２】
スキャナ部１６は、ＡＤＦ１２の下部に設けられ、ＡＤＦ１２によって送られる原稿または原稿台上に置かれた原稿を読み取って画像データを生成する。スキャナ部１６は、印刷原稿の入力部の一例であり、この他に、例えば、外部端末としてＰＣ（Personal Computer）で作成した原稿を外部入力のＩ／Ｆ２０４を含む入力部で受け入れ、画像データとして印刷することも可能である。
【００１３】
給紙部１８は、各種サイズの用紙Ｓを収容する複数のカセット１８を有する。排紙部３９は、画像形成され、排出された用紙Ｓを収容する。
【００１４】
プリンタ部１７は、感光体ドラムとレーザ等を含み、スキャナ部１６で読み取った画像データやＰＣ等で作成された画像データを処理して用紙Ｓに画像を形成する（印刷工程）。プリンタ部１７によって画像が形成された用紙は、排紙部３９に排出される。プリンタ部１７は、例えばタンデム方式によるカラーレーザプリンタである、光走査装置１９からの画像光によって画像形成部の像担持体（感光体ドラム）を走査して画像を生成する。
【００１５】
プリンタ部１７は、イエロー（Ｙ）、マゼンタ（Ｍ）、シアン（Ｃ）、ブラック（Ｋ）の各色の画像形成部２０Ｙ、２０Ｍ、２０Ｃ、２０Ｋを含む。画像形成部２０Ｙ、２０Ｍ、２０Ｃ、２０Ｋは、中間転写ベルト２１の下側に、上流から下流側に沿って並んで配置する。
【００１６】
画像形成部２０Ｙ、２０Ｍ、２０Ｃ、２０Ｋを含むプリンタ部１７を図２に拡大して示す。以下の説明において各色の画像形成部２０Ｙ（イエロー）、２０Ｍ（マゼンタ）、２０Ｃ（シアン）、２０Ｋ（ブラック）、は同様の構成であるため、代表して画像形成部２０Ｙの構成・作用を説明する。
【００１７】
画像形成部２０Ｙは、像担持体である感光体ドラム２２Ｙを有し、感光体ドラム２２Ｙの周囲に、回転方向ｔに沿って帯電チャージャ２３Ｙ、現像器２４Ｙ、１次転写ローラ２５Ｙ、クリーナ２６Ｙ、ブレード２７Ｙを配置している。感光体ドラム２２Ｙの露光位置には、レーザ露光装置１９からブラックに対応する画像データで変調された画像光を照射し走査して、回転駆動される感光体ドラム２２Ｙ上に静電潜像を形成する。
【００１８】
画像形成部２０Ｙの帯電チャージャ２３Ｙは、感光体ドラム２２Ｙの表面を一様に全面帯電する。現像器２４Ｙは、現像バイアスが印加される現像ローラによりイエローのトナー及びキャリアを含む二成分現像剤を感光体ドラム２２Ｙに供給する。クリーナ２６Ｙは、ブレード２７Ｙを用いて感光体ドラム２２Ｙ表面の残留トナーを除去する。
【００１９】
画像形成部２０Ｙ、２０Ｍ、２０Ｃ、２０Ｋの上部に、現像器２４Ｙ、２４Ｍ、２４Ｃ、２４Ｋにトナーを供給するトナーカートリッジ２８（図１）を有する。トナーカートリッジ２８は、イエロー（Ｙ）、マゼンタ（Ｍ）、シアン（Ｃ）、ブラック（Ｋ）の各色のトナーカートリッジ２８Ｙ、２８Ｍ、２８Ｃ、２８Ｋが隣接している。
【００２０】
中間転写ベルト２１は、駆動ローラ３１及び従動ローラ３２、３３に張架され、中間転写ベルト２１は感光体ドラム２２Ｙ〜２２Ｋに対向して接触し、循環的に移動する。中間転写ベルト２１の感光体ドラム２２Ｙに対向する位置には、１次転写ローラ２５Ｙにより１次転写電圧が印加され、感光体ドラム２２Ｙ上のトナー像を中間転写ベルト２１に１次転写する。
【００２１】
中間転写ベルト２１を張架する駆動ローラ３１には、２次転写ローラ３４を対向して配置している。中間転写ベルト２１と２次転写ローラ３４間を用紙Ｓが通過する際に、２次転写ローラ３４により２次転写電圧が印加され、中間転写ベルト２１の従動ローラ３３付近には、ベルトクリーナ３５を有する。
【００２２】
一方、光走査装置１９は、各感光体ドラム２２Ｙ〜２２Ｋに、画像情報に応じた画像光を照射し、走査する。画像光によって、各感光体ドラム２２Ｙ〜２２Ｋに現像すべき色に対応した静電潜像が形成される。光走査装置１９については、後述する。
【００２３】
また、図１で示すように、給紙部１８から２次転写ローラ３４に至る間には、給紙部１８内の用紙Ｓを取り出す分離ローラ３６、及び搬送ローラ３７を設けており、２次転写ローラ３４の下流には定着装置３８を有する。また、定着装置３８の下流には排紙部３９を有する。
【００２４】
図３は、光走査装置１９の全体構造を示す斜視図である。光走査装置１９はケーシング４１を有する。ケーシング４１は、底部４２と、底部４２の立ち上がる側壁４３とを含み、例えば合成樹脂によって一体形成されている。
【００２５】
ケーシング４１の上面は、カバーによって覆われる。図３は、説明の便宜上、カバーを取り外した状態を示す。ケーシング４１の内部には、光源５０、５１、５２、５３と、ポリゴンミラー５４を含むポリゴンミラー機構５５と、第１の偏向レンズ５６と、第２の偏向レンズ５７と、ミラーユニット６０が収納されている。
【００２６】
光源５０〜５３は、それぞれ色分解された画像光（レーザビーム）をポリゴンミラー５４に向けて出力するレーザダイオードを備えている。光源５０〜５３と、ポリゴンミラー機構５５と、第１の偏向レンズ５６は、例えばアルミニウム合金製の共通ベース５８に搭載されている。ポリゴンミラー５４は、ポリゴンモータによって回転し、画像光を主走査方向に偏向する偏向部を構成する。
【００２７】
図４は、ミラーユニット６０をポリゴンミラー５４の側から見た斜視図である。ミラーユニット６０は、金属製のフレーム６１と、フレーム６１によって保持された折り返しミラー７０〜７９を備える。折り返しミラー７０〜７９（以下、単にミラーと呼ぶ）は、図２にも示すように各色（イエロー、マゼンタ、シアン、ブラック）に応じた画像光を反射する。
【００２８】
例えば、ミラー７０は、イエローのための画像光を反射し、ミラー７１、７２、７３はマゼンタのための画像光を反射し、ミラー７４、７５、７６はシアンのための画像光を反射し、ミラー７７、７８、７９はブラックのための画像光を反射する。ミラー７０〜７９はいずれも棒状である。ミラー７０〜７５はポリゴンミラー５４から遠い位置にあり、ミラー７６〜７９はポリゴンミラー５４に近い位置にある。
【００２９】
ミラーユニット６０のフレーム６１は、例えばアルミニウム合金製の一対のベース部材６２、６３を含む。ベース部材６２、６３は、それぞれアルミニウム合金などの金属を鋳造して形成されており、例えばアルミダイキャスト製である。ベース部材６２、６３は互いに対向して配置され、ベース部材６２、６３の下部に複数の取り付け部６４を設けている。取り付け部６４は、ボルト等の固定部材によって、ケーシング４１の底部４２に固定される。
【００３０】
また、図４に示すように、一方のベース端部６２の内側の面に第１のミラー支持板６５を取り付け、他方のベース部材６３の内側の面に、第２のミラー支持板６６と、第３のミラー支持板６７を取り付けている。ミラー支持板６５と６６は互いに並行に配置さている。ミラー支持板６５〜６７は、それぞれ厚さが一定の金属製の平板である。
【００３１】
それぞれの色の画像光を反射する最終段のミラーの一方の端部は支点で固定されており、もう一方の端部は可動する。以下、ミラーの固定されている端部を固定端部といい、固定端部の反対側である可動する端部を可動端部という。ミラーの可動端部に、画像光の傾きを補正する補正部３００Ｍ、３００Ｃ、３００Ｋが位置する。すなわち、マゼンタの画像光を反射するミラー７３の可動端部に補正部３００Ｍ、シアンの画像光を反射するミラー７６の可動端部に補正部３００Ｃ、ブラックの画像光を反射するミラー７９の可動端部に補正部３００Ｋが位置する。上述のイエローの画像光を反射するミラー７０はミラー７３、７６、７９のように一方の端部に補正部を備えていないが、ミラー７３、７６、７９と同様に、一方の端部に補正部を備えるようにしても良い。
【００３２】
図５は補正部３００Ｍの斜視図であり、図６は補正部３００Ｍの側面図である。マゼンタ、シアン、ブラックの画像光を反射する最終段のミラー７３、７６、７９の可動端部に備えられる補正部３００Ｍ、３００Ｃ、３００Ｋはそれぞれ同様の構成である。ここでは、マゼンタの画像光を反射するミラー７３の端部に備えられる補正部３００Ｍについて記載する。
【００３３】
補正部３００Ｍは、ミラー７３の上面からミラー反射方向と逆方向に押圧し、かつミラー７３の一方の側面を押圧する板バネ（第３の支持部）３０１、及びミラー７３の底面をミラー反射方向に突き当てる突き当て部（第２の支持部）３０２、及び突き当て部３０２を可動する駆動部である補正モータ３０３、及び板バネ３０１で押圧されていないミラー７３のもう一方の側面を支持する突起（第１の支持部）３０４を有する。図５の矢印ｕは、ミラー反射方向を示す。
【００３４】
板バネ３０１は、ミラー７３の上面からミラー反射方向と逆方向に押圧し、かつミラー７３の一方の側面を押圧することで、ミラー７３の位置を決定する。板バネ３０１は、上述のような、上面と側面を押圧するような一体型ではなく、ミラー７０の上面からミラー反射方向と逆方向に押圧する板バネと、ミラー７３の一方の側面を押圧する板バネでミラー７３を押圧するようにしても良い。
【００３５】
突き当て部３０２は、ミラー７３の底面からミラー反射方向に突き当て、補正モータ３０３により可動する。突き当て部３０２は、補正モータ３０３により、ミラー反射方向である矢印u方向及び、矢印u方向と逆方向へ移動する。突き当て部３０２の可動により、ミラー７３反射方向を調整する。
【００３６】
補正モータ３０３は、例えばステッピングモータである。補正モータ３０３を駆動することで、突き当て部３０２を可動する。
【００３７】
図７は、ミラー７３を除いた状態の補正部３００Ｍの拡大図であり、図８は、ミラー７３がある状態の補正部３００Ｍの拡大図である。図７のミラー７３は説明の便宜上除いている。ここで、ミラー側面を支持する突起３０４の中心に直交する仮想面３０５を想定する。突起３０４の中心を含む仮想面３０６を考えたとき、仮想面３０５は、仮想面３０６から図７の斜め手前側に延びる面である。突起３０４の中心を含む仮想面３０６と、仮想面３０６から図７の斜め手前側に延びる仮想面３０５で直角を形成する。このとき、仮想面３０５は、ミラー側面を支持する突起３０４の中心、及びミラー７３の底面からミラー７３を支持する突き当て部３０２の中心を含む。
【００３８】
また、突き当て部３０２、及び突起３０４は、ミラー７３の長手方向において、位置が一致する。すなわち、図８において、ミラー７３の可動端部から突き当て部３０２がミラー７０に接する位置までの長さｖと、ミラー７０の可動端部から突起３０４がミラー７０に接する位置までの長さｗが一致する。また、ミラー７３の固定端部から突き当て部３０２がミラー７３に接する位置までの長さと、ミラー７３の固定端部から突起３０４がミラー７３に接する位置までの長さも一致する。突き当て部３０２及び突起３０４のミラー長手方向の位置を一致させ、突き当て部３０２及び突起３０４が接するミラー７３の対向面から、板バネ３０１により荷重をかけてミラー７３を固定する。
【００３９】
ここで、ミラー７３の底面を支持する突き当て３０２、及びミラー７３の側面を支持する突起３０４の位置が、ミラー７３の長手方向で一致せず、突起３０４の位置が突き当て部３０２の位置よりもミラー７３の長手方向の内側にある場合を想定する。このとき、補正用モータ３０３が突起３０４の位置より、ミラー７３の長手方向の端部側に位置する。この状態で画像形成装置１００の動作時の振動が加わると、補正用モータ３０３が揺れやすく、ミラー７３に振動が伝わる。
【００４０】
これに対し、第一の実施形態に記載される光走査装置１９を有する画像形成装置１００は、ミラー７３を支持する突き当て部３０２、及び突起３０４をミラー７３の長手方向の位置が一致する。突き当て部３０２及び突起３０４のミラー７３の長手方向の位置を一致させ、突き当て部３０２及び突起３０４が接するミラー７３の対向面から、板バネ３０１により荷重をかけてミラー７３を固定することで、ミラー７３に伝わる振動を防ぐことができる。
【００４１】
また、板バネ３０１のミラー７３の長手方向の位置と、突き当て部３０２、及び突起３０４とミラー７３の長手方向の位置が一致するようにしても良い。このときの板バネ３０１の位置とは、板バネ３０１のミラー７３を支える支点の位置である。
【００４２】
突き当て部３０２、及び突起３０４とミラー７３の長手方向の位置が一致すると記載しているが、ミラー７３の長手方向の位置が一致するとは、ほとんど位置が一致することを含むと定義する。また、板バネ３０１、突き当て部３０２、及び突起３０４とミラー７３の長手方向の位置が一致しても良いと記載しているが、ミラー７３の長手方向の位置が一致するとは、ほとんど位置が一致することを含むと定義する。
【００４３】
上述のような、光走査装置により、画像形成装置動作時、ミラーに伝わる振動を防ぐことができる。
【００４４】
（第二の実施形態）
第二の実施形態の画像形成装置が有する光走査装置のミラーの上面を支持する突き当て部、及びミラーの側面を支持する突起は、ミラーの長手方向の位置が一致する。第一の実施形態と同一構成部分には同一符号を付す。
【００４５】
図９は、補正部３００Ｍの側面図である。補正部３００Ｍは、ミラー７３の上面からミラー反射方向と逆方向に押圧する突き当て部（第２の支持部）４０１、及び一方のミラー７３の側面を支持する突起（第１の支持部）４０２、及びミラー７３の底面をミラー反射方向に支持する板バネ４０３（第３の支持部）４０３、及び突起４０２で支持されていないもう一方のミラー７３の側面を支持する板バネ（第３の支持部）４０４、及び突き当て部４０１を可動する補正モータ４０５を有する。
【００４６】
第二の実施形態も、第一の実施形態同様、ミラー側面を支持する突起４０２の中心に直交する仮想面を想定する。このとき、仮想面は、ミラー側面を支持する突起４０２の中心、及びミラー７３の上面からミラー７３を支持する突き当て部４０１の中心を含む。
【００４７】
また、突き当て部４０１、及び突起４０２は、ミラー７３の長手方向において、位置が一致する。すなわち、ミラー７３の可動端部から突き当て部４０１がミラー７３に接する位置までの長さと、ミラー７３の可動端部から突起４０２がミラー７３に接する位置までの長さが一致する。また、ミラー７３の固定端部から突き当て部４０１がミラー７３に接する位置までの長さと、ミラー７３の固定端部から突起４０２がミラー７３に接する位置までの長さも一致する。突き当て部４０１及び突起４０２のミラー長手方向の位置を一致させ、突き当て部４０１及び突起４０２が接するミラー７３の対向面から、板バネ４０３及び板バネ４０４により荷重をかけてミラー７３を固定する。このような構成をとることにより、ミラー７０に伝わる振動を防ぐことができる。
【００４８】
上述のような光走査装置により、画像形成装置動作時、ミラーに伝わる振動を防ぐことができる。また、ミラーの上面を突き当て部で支持し、突き当て部４０１、及び突起４０２のミラーの長手方向を一致させることにより、より安定してミラーを支持することができる。
【００４９】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００５０】
１２  自動原稿搬送部
１４  操作部
１５  表示部
１６  スキャナ部
１７  プリンタ部
１８  給紙部
１９  光走査装置
７０〜７９  ミラー
１００  画像形成装置
２００  ＣＰＵ
２０２  ＲＯＭ
２０３  ＲＡＭ
２０４  Ｉ/Ｆ
３００Ｍ、３００Ｃ、３００Ｋ  補正部
３０１、４０３、４０４  板バネ
３０２、４０１  突き当て部
３０３、４０５  補正モータ
３０４、４０２  突起
【図１】
2012145914.tif 000003
【図２】
2012145914.tif 000004
【図３】
2012145914.tif 000005
【図４】
2012145914.tif 000006
【図５】
2012145914.tif 000007
【図６】
2012145914.tif 000008
【図７】
2012145914.tif 000009
【図８】
2012145914.tif 000010
【図９】
2012145914.tif 000011